(57)【要約】【課題】  相手先がＩＰ電話に対応する装置の場合、公衆回線の電話番号でダイヤルしてもＩＰ電話同士の通話ができるＩＰ電話装置を提供する。【解決手段】  公衆回線を介して送信される呼信号を受信したときに、前記呼信号に対応して発信側電話機の電話番号を特定する番号識別回路と、受信側電話機に接続され、前記公衆回線とＩＰ電話回線との一方を選択的に用いて前記発信側電話機と前記受信側電話機とを接続する制御部とを具備するＩＰ電話装置を構成する。そのＩＰ電話装置において、前記制御部は、特定された前記電話番号のサービス番号を抽出し、前記サービス番号が、前記ＩＰ電話回線を介して実行される音声通話に対応するサービス番号であるときに、前記発信側電話機と前記受信側電話機とを前記ＩＰ電話回線を介して接続する。【選択図】        図１
2006211060.tif 000002
【特許請求の範囲】
【請求項１】
公衆回線を介して送信される呼信号を受信したときに、前記呼信号に対応して発信側電話機の電話番号を特定する番号識別回路と、
受信側電話機に接続され、前記公衆回線とＩＰ電話回線との一方を選択的に用いて前記発信側電話機と前記受信側電話機とを接続する制御部と
を具備し、
前記制御部は、特定された前記電話番号のサービス番号を抽出し、前記サービス番号が、前記ＩＰ電話回線を介して実行される音声通話に対応するサービス番号であるときに、前記発信側電話機と前記受信側電話機とを前記ＩＰ電話回線を介して接続する
ＩＰ電話装置。
【請求項２】
請求項１に記載のＩＰ電話装置において、
前記番号識別回路は、発信者番号通知サービスに対応して前記発信側電話機の前記電話番号を特定する
ＩＰ電話装置。
【請求項３】
請求項１に記載のＩＰ電話装置において、
前記制御部は、前記呼信号に応答して、前記発信側電話機との通話回線を確立し、
前記番号識別回路は、前記通話回線を介して送信される情報から、前記発信側電話機の電話番号を特定して前記制御部に供給する
ＩＰ電話装置。
【請求項４】
請求項２または３に記載のＩＰ電話装置において、
前記制御部は、
中央制御回路と、
音声信号を、前記ＩＰ電話回線に対応して送受信可能なデジタルデータに変換するＩＰ電話制御回路と、
前記ＩＰ電話制御回路に接続され、前記ＩＰ電話制御回路と前記ＩＰ電話回線との通信を制御する回線制御回路と
を含み、
前記中央制御回路は、前記番号識別回路から供給される前記電話番号から前記サービス番号を抽出し、抽出した前記サービス番号が前記ＩＰ電話回線を介して実行される音声通話に対応するサービス番号であるときに、前記ＩＰ電話制御回路に、前記発信側電話機へ前記ＩＰ電話回線を介して発信を行うことを指示し、
前記ＩＰ電話制御回路は、前記指示に応答して、前記電話番号を用いて前記発信側電話機に回線切替用呼信号を送信する
ＩＰ電話装置。
【請求項５】
請求項４に記載のＩＰ電話装置において、
前記制御部は、さらに、
前記受信側電話機と接続する回線を、前記公衆回線から前記ＩＰ電話回線に切替える切替回路と、
前記切替回路に接続され、前記切替回路を介して供給される音声信号を前記ＩＰ電話制御回路に出力する電話機制御部と
を含み、
前記中央制御部は、前記回線切替用呼信号に対する応答を監視し、前記回線切替用呼信号に対する応答に基づいて、前記回線切替え命令を生成し、
前記切替回路は、前記回線切替え命令に応答して、前記受信側電話機と接続する回線を、前記公衆回線から前記ＩＰ電話回線に切替える
ＩＰ電話装置。
【請求項６】
請求項５に記載のＩＰ電話装置において、
前記ＩＰ電話制御部は、前記公衆回線を介して他のＩＰ電話装置に発信を行っているときに、前記他のＩＰ電話装置から送信される回線切替用呼信号である他の回線切替用呼信号の受信を監視し、
前記他の回線切替用呼信号を受信したときに、前記他のＩＰ電話装置への発信に用いたパスを、前記ＩＰ電話回線に対応したパスに切り替える
ＩＰ電話装置。
【請求項７】
請求項６に記載のＩＰ電話装置において、
前記ＩＰ電話制御部は、前記他のＩＰ電話装置への発信に用いたパスを、前記ＩＰ電話回線に対応したパスに切り替えた後、前記公衆回線を介して出力した前記他のＩＰ電話装置への発信を放棄する
ＩＰ電話装置。
【請求項８】
請求項７に記載のＩＰ電話装置において、
前記番号識別回路は、前記公衆回線を介して他のＩＰ電話装置へ発信を行うときに、前記他のＩＰ電話装置との通話回線の確立に応答して、前記ＩＰ電話装置に接続される電話機の電話番号を前記他のＩＰ電話装置に送信する
ＩＰ電話装置。
【請求項９】
（ａ）公衆回線を介して送信される呼信号を受信するステップと、
（ｂ）前記呼信号に対応して発信側電話機の電話番号を特定するステップと、
（ｃ）前記公衆回線とＩＰ電話回線との一方を選択的に用いて前記発信側電話機と受信側電話機とを接続するステップと、
（ｄ）特定された前記電話番号のサービス番号を抽出し、前記サービス番号が、前記ＩＰ電話回線を介して実行される音声通話に対応するサービス番号であるときに、前記発信側電話機と前記受信側電話機とを前記ＩＰ電話回線を介して接続するステップ
を具備するＩＰ電話の接続方法。
【請求項１０】
請求項９に記載のＩＰ電話の接続方法において、
前記（ｂ）ステップは、
発信者番号通知サービスに対応して前記発信側電話機の前記電話番号を特定するステップ
を具備するＩＰ電話の接続方法。
【請求項１１】
請求項９に記載のＩＰ電話の接続方法において、
前記（ｂ）ステップは、
前記呼信号に応答して、前記発信側電話機との通話回線を確立するステップと、
前記通話回線を介して送信される情報から、前記発信側電話機の電話番号を特定するステップ
を具備するＩＰ電話の接続方法。
【請求項１２】
請求項１０または１１に記載のＩＰ電話の接続方法において、
前記（ｄ）ステップは、
前記電話番号から前記サービス番号を抽出し、抽出した前記サービス番号が前記ＩＰ電話回線を介して実行される音声通話に対応するサービス番号であるときに、前記発信側電話機へ前記ＩＰ電話回線を介して発信を行うことを指示するステップと、
前記指示に応答して、前記電話番号を用いて前記発信側電話機に回線切替用呼信号を送信するステップと、
前記回線切替用呼信号に対する応答を監視し、前記回線切替用呼信号に対する応答に基づいて、前記回線切替え命令を生成するステップと、
前記回線切替え命令に応答して、前記受信側電話機と接続する回線を、前記公衆回線から前記ＩＰ電話回線に切替えるステップ
を具備するＩＰ電話の接続方法。
【請求項１３】
請求項１２に記載のＩＰ電話の接続方法において、さらに、
（ｅ）前記公衆回線を介して他のＩＰ電話装置に発信を行っているときに、前記他のＩＰ電話装置から送信される回線切替用呼信号である他の回線切替用呼信号の受信を監視し、前記他の回線切替用呼信号を受信したときに、前記他のＩＰ電話装置への発信に用いたパスを、前記ＩＰ電話回線に対応したパスに切り替えるステップ
を具備するＩＰ電話の接続方法。
【請求項１４】
請求項１３に記載のＩＰ電話の接続方法において、
前記（ｅ）ステップは、
前記他のＩＰ電話装置への発信に用いたパスを、前記ＩＰ電話回線に対応したパスに切り替えた後、前記公衆回線を介して出力した前記他のＩＰ電話装置への発信を放棄するステップ
を具備するＩＰ電話の接続方法。
【請求項１５】
請求項１４に記載のＩＰ電話の接続方法において、さらに、
（ｆ）前記公衆回線を介して他のＩＰ電話装置へ発信を行うときに、前記他のＩＰ電話装置との通話回線の確立に応答して、電話番号を前記他のＩＰ電話装置に送信するステップ
を具備するＩＰ電話の接続方法。
【発明の詳細な説明】
【技術分野】
【０００１】
本発明は、ＩＰ電話装置およびＩＰ電話の接続方法に関し、特に公衆回線を介して受信する呼を適切にＩＰ電話回線に接続するＩＰ電話装置およびＩＰ電話の接続方法に関する。
【背景技術】
【０００２】
ＩＰネットワークの普及に伴って、そのＩＰネットワークを介して電話（送受話）をすることを可能にするサービス（以下、ＩＰ電話サービスと呼ぶ。）が提供されるようになってきている（例えば、特許文献１参照）。ＩＰ電話サービスは、ＶｏＩＰ（Ｖｏｉｃｅ  Ｏｖｅｒ  ＩＰ）技術によって実現されている。ＶｏＩＰ技術とは、音声を音声デジタルデータに変換した後、ＩＰパケット化して、そのＩＰネットワークを介して転送する技術である。ＩＰ電話サービスにＶｏＩＰ技術を適用することによって、音声通話とデータ通信とを統合して扱うことが可能になる。そのため、ＶｏＩＰ技術を用いたＩＰ電話サービスは、通話にかかる料金を固定的に提供することができ、ユーザの負担する通信コストの削減に適している。
【０００３】
ユーザが、ＩＰ電話サービスを受けるためには、ＩＰネットワークに接続され、ＶｏＩＰ技術に対応した通信制御が可能な端末（例えば、ＩＰ電話アダプタ）が必要である。また、ユーザは、ＩＰ電話事業者から提供されるＩＰ電話用の電話番号（サービス番号「０５０」で始まる電話番号、以下、ＩＰ電話番号と呼ぶ。）を保有し、そのＩＰ電話番号を使用してＩＰ電話サービスを利用している。
【０００４】
つまり、現在提供されているＩＰ電話サービスを受ける場合、ＩＰ電話アダプタを備えた電話機を使用して、相手先のＩＰ電話番号に向けて発信を行うことでＩＰネットワークを介して音声通話が行えるようになる。ＩＰ電話の電話番号と公衆回線網の電話番号が異なるため、ＩＰ電話同士で通話したい場合は、ＩＰ電話用の電話番号にダイヤルすることが要求される。相手先がＩＰ電話用の電話番号を保有しているかどうかが不明な場合、通話料の発生する公衆回線経由で電話をかけなければならなかった。
【０００５】
【特許文献１】特開２００４−５６７１８号公報
【発明の開示】
【発明が解決しようとする課題】
【０００６】
本発明が解決しようとする課題は、公衆回線の電話番号でダイヤルしてもＩＰ電話同士の通話ができるＩＰ電話装置を提供することにある。
【課題を解決するための手段】
【０００７】
以下に、［発明を実施するための最良の形態］で使用される番号を用いて、課題を解決するための手段を説明する。これらの番号は、［特許請求の範囲］の記載と［発明を実施するための最良の形態］との対応関係を明らかにするために付加されたものである。ただし、それらの番号を、［特許請求の範囲］に記載されている発明の技術的範囲の解釈に用いてはならない。
【０００８】
上記課題を解決するために、公衆回線（６）を介して送信される呼信号を受信したときに、前記呼信号に対応して発信側電話機（４または２）の電話番号を特定する番号識別回路（１２、３２）と、受信側電話機（２または４）に接続され、前記公衆回線（６）とＩＰ電話回線（５）との一方を選択的に用いて前記発信側電話機（４または２）と前記受信側電話機（２または４）とを接続する制御部（１１、３１）とを具備するＩＰ電話装置（ＩＰ電話アダプタ）を構成する。そのＩＰ電話装置において、前記制御部（１１、３１）は、特定された前記電話番号のサービス番号を抽出し、前記サービス番号が、前記ＩＰ電話回線（５）を介して実行される音声通話に対応するサービス番号であるときに、前記発信側電話機（４または２）と前記受信側電話機（２または４）とを前記ＩＰ電話回線（５）を介して接続する。ここで、そのＩＰ電話装置において、前記番号識別回路（１２、３２）は、発信者番号通知サービスに対応して前記発信側電話機（４または２）の前記電話番号を特定する構成であることが好ましい。また、そのＩＰ電話装置において、前記制御部（１１、３１）は、前記呼信号に応答して、前記発信側電話機（４または２）との通話回線を確立し、前記番号識別回路（１２、３２）は、前記通話回線を介して送信される情報から、前記発信側電話機（４または２）の電話番号を特定して前記制御部（１１、３１）に供給する構成であっても良い。
【０００９】
そのＩＰ電話装置において、前記制御部（１１、３１）は、中央制御回路（１５、３５）と、音声信号を、前記ＩＰ電話回線（５）に対応して送受信可能なデジタルデータに変換するＩＰ電話制御回路（１４、３４）と、前記ＩＰ電話制御回路（１４、３４）に接続され、前記ＩＰ電話制御回路（１４、３４）と前記ＩＰ電話回線（５）との通信を制御する回線制御回路（１３、３３）とを含むように構成されていることが好ましい。そして、前記中央制御回路（１５、３５）は、前記番号識別回路（１２、３２）から供給される前記電話番号から前記サービス番号を抽出し、抽出した前記サービス番号が前記ＩＰ電話回線（５）を介して実行される音声通話に対応するサービス番号であるときに、前記ＩＰ電話制御回路（１４、３４）に、前記発信側電話機（４または２）へ前記ＩＰ電話回線（５）を介して発信を行うことを指示する。前記ＩＰ電話制御回路（１４、３４）は、前記指示に応答して、前記電話番号を用いて前記発信側電話機（４または２）に回線切替用呼信号を送信する。
【００１０】
そのＩＰ電話装置において、前記制御部（１１、３１）は、さらに、前記受信側電話機（２または４）と接続する回線を、前記公衆回線（６）から前記ＩＰ電話回線（５）に切替える切替回路（１７、３７）と、前記切替回路（１７、３７）に接続され、前記切替回路（１７、３７）を介して供給される音声信号を前記ＩＰ電話制御回路（１４、３４）に出力する電話機制御回路（１６、３６）とを含む構成であっても良い。その場合、前記中央制御部（１１、３１）は、前記回線切替用呼信号に対する応答を監視し、前記回線切替用呼信号に対する応答に基づいて、前記回線切替え命令を生成し、前記切替回路（１７、３７）は、前記回線切替え命令に応答して、前記受信側電話機（２または４）と接続する回線を、前記公衆回線（６）から前記ＩＰ電話回線（５）に切替える。
【００１１】
そのＩＰ電話装置において、前記ＩＰ電話制御部（１１、３１）は、前記公衆回線（６）を介して他のＩＰ電話装置に発信を行っているときに、前記他のＩＰ電話装置から送信される回線切替用呼信号である他の回線切替用呼信号の受信を監視する。そして、前記他の回線切替用呼信号を受信したときに、前記他のＩＰ電話装置への発信に用いたパスを、前記ＩＰ電話回線（５）に対応したパスに切り替える構成であることが好ましい。
【００１２】
そのＩＰ電話装置において、前記ＩＰ電話制御部（１１、３１）は、前記他のＩＰ電話装置への発信に用いたパスを、前記ＩＰ電話回線（５）に対応したパスに切り替えた後、前記公衆回線（６）を介して出力した前記他のＩＰ電話装置への発信を放棄する構成であることが好ましい。
【００１３】
さらに、そのＩＰ電話装置において、前記番号識別回路（１２、３２）は、前記公衆回線（６）を介して他のＩＰ電話装置へ発信を行う。そのときに、前記他のＩＰ電話装置との通話回線が確立されたことに応答して、前記ＩＰ電話装置に接続される電話機の電話番号を前記他のＩＰ電話装置に送信する構成であっても良い。
【００１４】
さらに、上記課題を解決するために、以下の方法でＩＰ電話を接続する。その接続方法は、
［ａ］公衆回線（６）を介して送信される呼信号を受信するステップと、
［ｂ］前記呼信号に対応して発信側電話機（４または２）の電話番号を特定するステップと、
［ｃ］前記公衆回線（６）とＩＰ電話回線（５）との一方を選択的に用いて前記発信側電話機（４または２）と受信側電話機（２または４）とを接続するステップと、
［ｄ］特定された前記電話番号のサービス番号を抽出し、前記サービス番号が、前記ＩＰ電話回線（５）を介して実行される音声通話に対応するサービス番号であるときに、前記発信側電話機（４または２）と前記受信側電話機（２または４）とを前記ＩＰ電話回線（５）を介して接続するステップを具備するＩＰ電話の接続方法であることが好ましい。
【００１５】
そのＩＰ電話の接続方法において、前記［ｂ］ステップは、発信者番号通知サービスに対応して前記発信側電話機（４または２）の前記電話番号を特定するステップを具備するＩＰ電話の接続方法であることが好ましい。また、そのＩＰ電話の接続方法において、前記［ｂ］ステップは、前記呼信号に応答して、前記発信側電話機（４または２）との通話回線を確立するステップと、前記通話回線を介して送信される情報から、前記発信側電話機（４または２）の電話番号を特定するステップを具備するＩＰ電話の接続方法出会っても良い。
【００１６】
さらに、そのＩＰ電話の接続方法において、
前記［ｄ］ステップは、
前記電話番号から前記サービス番号を抽出し、抽出した前記サービス番号が前記ＩＰ電話回線（５）を介して実行される音声通話に対応するサービス番号であるときに、前記発信側電話機（４または２）へ前記ＩＰ電話回線（５）を介して発信を行うことを指示するステップと、
前記指示に応答して、前記電話番号を用いて前記発信側電話機（４または２）に回線切替用呼信号を送信するステップと、
前記回線切替用呼信号に対する応答を監視し、前記回線切替用呼信号に対する応答に基づいて、前記回線切替え命令を生成するステップと、
前記回線切替え命令に応答して、前記受信側電話機（２または４）と接続する回線を、前記公衆回線（６）から前記ＩＰ電話回線（５）に切替えるステップを具備するＩＰ電話の接続方法であることが好ましい。
【００１７】
そのＩＰ電話の接続方法において、さらに、
［ｅ］前記公衆回線（６）を介して他のＩＰ電話装置に発信を行っているときに、前記他のＩＰ電話装置から送信される回線切替用呼信号である他の回線切替用呼信号の受信を監視し、前記他の回線切替用呼信号を受信したときに、前記他のＩＰ電話装置への発信に用いたパスを、前記ＩＰ電話回線（５）に対応したパスに切り替えるステップを具備するＩＰ電話の接続方法であることが好ましい。
【００１８】
そのＩＰ電話の接続方法において、前記［ｅ］ステップは、前記他のＩＰ電話装置への発信に用いたパスを、前記ＩＰ電話回線（５）に対応したパスに切り替えた後、前記公衆回線（６）を介して出力した前記他のＩＰ電話装置への発信を放棄するステップを具備するＩＰ電話の接続方法であることが好ましい。
【００１９】
そのＩＰ電話の接続方法において、さらに、
［ｆ］前記公衆回線（６）を介して他のＩＰ電話装置へ発信を行うときに、前記他のＩＰ電話装置との通話回線の確立に応答して、電話番号を前記他のＩＰ電話装置に送信するステップを具備するＩＰ電話の接続方法であることが好ましい。
【発明の効果】
【００２０】
本発明のよると、公衆回線の電話番号でダイヤルしてもＩＰ電話同士の通話ができるＩＰ電話装置を提供することができる。言いかえると、本発明は、発信先のＩＰ電話の使用の可否を知らなくともＩＰ電話同士の通話に切り替え可能なので、利便性を向上することができる。
また、本発明は通話料が発生するＩＰ電話対公衆回線の通話を通話料金が発生しないＩＰ電話同士の通話に切り替えるので、通話料金を抑えることができる。
また、本発明は発信者番号通知を利用して、ＩＰ電話使用の有無を判断しているので、特別な回路構成を取らなくとも容易に実現することができる。
さらに、発信者番号サービスに加入していない場合でも、発信がわに番号の通知を要求することでＩＰ電話同士の通話が可能になる。
【発明を実施するための最良の形態】
【００２１】
［第１の実施形態の構成］
以下に、図面を参照して本発明を実施するための形態について説明を行う。図１は、本実施の形態の構成を示すブロック図である。図１を参照すると、本実施の形態におけるＩＰ電話システムは、第１ＩＰ電話アダプタ１と、第１電話機２と、第２ＩＰ電話アダプタ３と、第２電話機４とを含んで構成されている。第１ＩＰ電話アダプタ１と第２ＩＰ電話アダプタ３とは同様の構成であり、それぞれが電話をかける機能とかかってきた電話を受ける機能とを有している。従って、以下の実施に形態において、第１ＩＰ電話アダプタ１と第１電話機２とが受信側ブロックであり、第２ＩＰ電話アダプタ３と第２電話機４が発信側ブロックである場合を例示して説明を行う。また、図１に示されているように、第１ＩＰ電話アダプタ１と第２ＩＰ電話アダプタ３とは、ＩＰ電話網５を介して通話可能に接続されている。同様に、第１ＩＰ電話アダプタ１と第２ＩＰ電話アダプタ３とは公衆回線網６を介して通話可能に接続されいている。ここで、ＩＰ電話網５は、呼制御サーバ、ルータ等を含むＩＰ電話網を示している。また、公衆回線網６は、交換機を含む電話機網であり、発信者番号通知サービスを受けている回線を示してる。
【００２２】
第１ＩＰ電話アダプタ１と第２ＩＰ電話アダプタ３は、ＩＰ電話網５を介して音声通話を実行するための、情報処理を行う接続装置である。図１に示されているように、第１ＩＰ電話アダプタ１は、第１制御部１１と、第１番号識別回路１２とを含んで構成されている。その第１制御部１１は、第１回線制御回路１３と、第１ＩＰ電話制御回路１４と、第１中央制御回路１５と、第１電話機制御回路１６と、第１切替制御回路１７とを含んで構成されている。同様に、第２ＩＰ電話アダプタ３は、第２制御部３１と第２番号識別回路３２とを含んで構成されている。その、第２制御部３１は、第２回線制御回路３３と、第２ＩＰ電話制御回路３４と、第２中央制御回路３５と、第２電話機制御回路３６と、第２切替制御回路３７とを含んで構成されている。ここで、第１ＩＰ電話アダプタ１と第２ＩＰ電話アダプタ３とは、同様の構成であり、それぞれは互いに置換可能である。従って、以下の構成の説明においては、第１ＩＰ電話アダプタ１を主として説明を行う。また、第１電話機２と第２電話機４とは同様の構成であり、それぞれは互いに置換可能である。
【００２３】
第１番号識別回路１２（または第２番号識別回路３２）は、公衆回線網６を介して着信があった場合、その着信に対応して発信側の電話番号の識別をする番号識別回路である。第１の実施の形態における第１番号識別回路１２は、発信者番号通知サービスの処理手順で公衆回線からの発信者番号を引き取ることで、発信側の電話番号を特定している。第１制御部１１（または第２制御部３１）は、音声通話に使用する回線の切替えを制御する制御ブロックである。上述したように、第１制御部１１は、複数の機能ブロック（１３〜１７）を含んで構成されている。
【００２４】
第１回線制御回路１３（または第２回線制御回路３３）は、電話機とＩＰ電話網５との接続制御をする制御回路である。第１回線制御回路１３は、接続形態が異なる複数のＩＰ電話網が存在する場合、各々に適用可能な回路を含んで構成されていることが好ましい。第１ＩＰ電話制御回路１４（または第２ＩＰ電話制御回路３４）は、ＩＰ電話の相手先に電話をかけたり、通話が終ったあとに電話を切ったりするための呼制御プロトコルの制御とＩＰパケット化された音声データの送受信制御をする制御回路である。第１ＩＰ電話制御回路１４は、ＩＰ電話の呼を同時に2つ以上処理可能な機能を含んで構成されていることが好ましい。第１ＩＰ電話制御回路１４は、その機能を用いることで第１電話機制御回路１６と接続する呼を自由に切替できるものである。
【００２５】
第１中央制御回路１５（または第２中央制御回路３５）は、各回路（１２、１３、１４、１６、１７）からの情報を元に各回路に処理命令をする制御回路である。第１電話機制御回路１６（または第２電話機制御回路３６）は、ＩＰ電話使用時に第１電話機２（または第２電話機４）の制御/音声の送受信をする制御回路である。第１切替制御回路１７（または第２切替制御回路３７）は、第１電話機２（または第２電話機４）の接続をＩＰ電話使用時は、第１電話機制御回路１６（または第２電話機制御回路３６） に、公衆回線使用時は公衆回線網６に切替える切替え回路である。
【００２６】
図１を参照すると、第１電話機２と第１ＩＰ電話アダプタ１とは互いに接続され、より詳細には、第１電話機２は、第１切替制御回路１７に接続されている。その第１切替制御回路１７は、公衆回線網６に接続されている。また、図１に示されているように、第１番号識別回路１２は公衆回線網６に接続され、公衆回線網６を経由して供給される信号は、第１番号識別回路１２と第１切替制御回路１７との各々に供給されている。また第１切替制御回路１７は、第１電話機制御回路１６に接続されている。第１切替制御回路１７は、第１中央制御回路１５から供給される命令に応答して、第１電話機２が音声通話に用いる回線の切替えを実行している。図１に示されているように、第１電話機制御回路１６は、第１ＩＰ電話制御回路１４に接続されている。その第１ＩＰ電話制御回路１４は、第１回線制御回路１３に接続され、第１回線制御回路１３を介してＩＰ電話網５に接続されている。また、第１中央制御回路１５と上述の各回路（第１番号識別回路１２、第１回線制御回路１３、第１ＩＰ電話制御回路１４、第１電話機制御回路１６、第１切替制御回路１７）とは互いに接続されている。
【００２７】
［第１の実施形態の動作］
以下に、図面を参照して本実施の形態の動作について説明を行う。図２は、本実施の形態の動作を例示するフローチャートである。図２に示されている動作は、第２電話機４が、第１電話機２へ電話をかけることにより開始する。ステップＳ１０１において、第２電話機４に接続される第２ＩＰ電話アダプタ３は、公衆回線網６を介して第１電話機２へ呼信号（第１電話機２の呼出音を鳴らすための信号）を送信する。第２ＩＰ電話制御回路３４が第１ＩＰ電話アダプタ１に発信をする時、第２ＩＰ電話アダプタ３の第２切替制御回路３７は、第２電話機４と第２電話機制御回路３６とを接続する。従って、第１ＩＰ電話アダプタ１からの着信を受ける時、第２ＩＰ電話アダプタ３と接続されている第２電話機４は、第２電話機制御回路３６と接続された状態になっているものとする。
【００２８】
ステップＳ１０２において、第１ＩＰ電話アダプタ１は、公衆回線網６を経由して第２電話機４からの呼信号を受信する。ステップＳ１０３おいて、第１ＩＰ電話アダプタ１の第１番号識別回路１２は、受信した呼信号に応答して発信側の電話番号（第２電話機４に割当てられている電話番号）を特定する。
【００２９】
ステップＳ１０４において、第１番号識別回路１２は、特定した発信側電話番号を第１中央制御回路１５に出力する。第１中央制御回路１５は、この第１番号識別回路１２から供給される電話番号からサービス番号（例えば、１１桁の電話番号の最初の３桁の番号）を抽出する。第１中央制御回路１５は、そのサービス番号が、ＩＰ電話サービスに対応する番号（各事業者から付与される「０５０」から始まる電話番号）であるかどうかの判断を行う。その判断の結果、サービス番号が、ＩＰ電話サービスに対応していない場合、処理はステップＳ１０５に進む。また、そのサービス番号が、ＩＰ電話サービスに対応した番号である場合（例えば、「０５０」である場合）、処理は、ステップＳ１０７に進む。
【００３０】
ステップＳ１０５において、公衆回線網６と第１電話機２とを直接接続する。これにより、第１電話機２は、公衆回線網６の電話接続手順を利用して第２電話機４と通話可能な状態になる。言いかえると、第１中央制御回路１５は、第１切替制御回路１７に公衆回線経由での通話を実行するように命令する。第１切替制御回路１７は、その命令に応答して公衆回線網６を介して第１電話機２と第２ＩＰ電話アダプタ３とを接続することで、公衆回線網６経由の接続状態（図１の第１接続状態７）を確立する（図１の第１接続状態７）。
【００３１】
ステップＳ１０６において、公衆回線網６を介して接続されることで、第１電話機２と第２電話機４との通話が実行される。これによって、ＩＰ電話サービスに対応していない電話機から発信があったときでも、本実施の形態の第１ＩＰ電話アダプタ１は、不具合無くその電話機と通話を行うことができる。
【００３２】
ステップＳ１０７において、第１中央制御回路１５は、第１ＩＰ電話制御回路１４に、呼信号の出力を指示する。第１ＩＰ電話制御回路１４は、その指示に応答して、第１番号識別回路１２が特定した電話番号に呼信号を送信する。つまり、第１ＩＰ電話アダプタ１は、着信時に採取した発信者番号に対してIP電話網経由で発信をする。
【００３３】
ステップＳ１０８において、第２ＩＰ電話アダプタ３は、第１ＩＰ電話アダプタ１から出力される呼信号をＩＰ電話網５を介して受信する。第２ＩＰ電話アダプタ３は、その呼信号の受信に対応して、応答信号を第１ＩＰ電話アダプタ１の第１ＩＰ電話制御回路１４に対して送信する。また、このとき、第２ＩＰ電話アダプタ３の第２中央制御回路３５は、各制御ブロックに、受信した呼信号に対応する回線の切替えを指示する。第２ＩＰ電話制御回路３４は、その指示に対応して、ステップＳ１０９において、ステップＳ１０１で出力した呼信号に対応するパスを、ＩＰ電話網５を経由して通話が実行できるためのパスに切り替える。言いかえると、第２ＩＰ電話アダプタ３の第２ＩＰ電話制御回路３４は、第１ＩＰ電話アダプタ１への発信のパスを保持しながら、第１ＩＰ電話アダプタ１からの着信を受けとる。そして、この着信に対して応答をする。この時、第２ＩＰ電話制御回路３４は異なる呼の発信と着信の両方を制御する。第２ＩＰ電話制御回路３４は、着信に応答するとこれまで、第２電話機４と接続していた発信のパスを着信に応答したパスと入れ替え、初期の発信のパスは放棄する。
【００３４】
その後、ステップＳ１１０において、第２ＩＰ電話制御回路３４は、ステップＳ１０１で実行した発信を放棄する。言いかえると、第２ＩＰ電話アダプタ３の第２ＩＰ電話制御回路３４は、第２電話機制御回路３６と接続しているパスを第１ＩＰ電話アダプタ１の発信のパスから着信に応答したパスに入れ替える。その後、入れ替える動作に対応して、第２電話機制御回路３６は、第１ＩＰ電話アダプタ１への発信を放棄する。
【００３５】
ステップＳ１１１において、第１ＩＰ電話制御回路１４は、第２ＩＰ電話アダプタ３から供給される応答信号を受信する。第１ＩＰ電話制御回路１４は、その応答信号に基づいて、第２ＩＰ電話アダプタ３に対して擬似的な呼出音の出力命令を送信する。ここで、呼出音とは、発信側の電話機に着信側の電話機を呼び出してることを通知する音である。着信側の電話機（本実施の形態における第２電話機４）は、その出力命令に応答して、受話部（またはスピーカー）から、呼出音を出力する。
【００３６】
ステップＳ１１２において、第１電話機制御回路１６は、上述の擬似的な呼出音の出力命令が送信されたことに応答して、第１電話機２に呼出信号を出力する。ここで、呼出信号とは、着信側の電話機（本実施の形態における第１電話機２）に発信側からの電話機から呼信号があったことを通知する信号である。この呼出信号は、着信側の電話機がオフフックされるか、発信側の電話機からの呼信号が停止するまで継続的に出力される。
【００３７】
ステップＳ１１３において、第１電話機制御回路１６は、第１電話機２がオフフック状態になったかどうかの判断を行う。その判断の結果、オフフックされていない場合、第１電話機２の状態の監視を継続する。オフフックされたときには、処理はステップＳ１１４に進む。
【００３８】
ステップＳ１１４において、第１電話機制御回路１６は、第１電話機がオフフック状態になったことに応答して、第１ＩＰ電話制御回路１４と第１電話機２とを接続し、第２電話機４と音声の送受信が可能な状態にする。これによって、第１電話機２は、ＩＰ電話網５を介して通話ができるようになる。ステップＳ１１５において、第１ＩＰ電話制御回路１４は、第１電話機２と接続されたことに応答して、ステップＳ１１１で出力した擬似的な呼出音の出力命令を停止する。ステップＳ１１６において、呼出音の停止に応答して、ＩＰ電話回線５経由の接続状態（図１の第２接続状態８）が確立し、音声通話が実行される。
【００３９】
これによって、本実施の形態のＩＰ電話アダプタは、ＩＰ電話サービス対応の電話機から公衆回線経由で着信があった場合に、自動的にＩＰ電話回線に切り替えて通話を実行することが可能になる。
【００４０】
［第２の実施形態］
以下に、図面を参照して、本発明の第２の実施の形態について説明を行う。図３は、第２の実施の形態の動作を例示するフローチャートである。図３に示されているフローチャートにおいて、図２を用いた符号と同じ符号が付されている動作は、第１の実施の形態の動作と同様であるので、その詳細な説明は省略するものとする。また、第２の実施の形態において、第２ＩＰ電話制御回路３４（または、第１ＩＰ電話制御回路１４）は、公衆回線網６の音声通信で使用される周波数帯域（可聴域）とは異なる周波数帯域を使用してデータ通信を実行できる機能を含んで構成されている。具体的に例示すると、公衆回線網６の可聴域以上の周波数を使用して、ＩＰ電話アダプタ間で独自に電話番号を送受信する機能を備えているものとする。
【００４１】
図３に示されているように、第２の実施の形態における動作は、第１ＩＰ電話アダプタ１が、公衆回線経由で呼信号を受信したあとの動作が、第１の実施の形態と異なっている。図３を参照すると、ステップＳ１０２の処理が行われた後、ステップＳ２０１において、第１中央制御回路１５は、第１切替制御回路１７に第１電話機２と第２電話機４と公衆回線経由で接続するように指示する。第１切替制御回路１７は、その指示に対応して、公衆回線網６を介して音声通話ができるように第１電話機２と第２電話機４とを接続する。ステップＳ２０２において、第１ＩＰ電話アダプタ１は、第１電話機２がオフフックされたかどうかを監視する。第１電話機２がオフフックされたことに応答して、第１電話機２と第２電話機４とは、音声信号の送受信が可能な状態になり、通話が実行される。
【００４２】
ステップＳ２０３において、第２番号識別回路３２は、現在、音声通話に使用している公衆回線の可聴域とは異なる周波数帯域を使用して、第２電話機４の電話番号を含む情報を第１ＩＰ電話アダプタ１に送信する。ステップＳ２０４において、第１ＩＰ電話アダプタ１の第１ＩＰ電話制御回路１４は、送信された情報から、第２電話機４の電話番号を特定する。第１ＩＰ電話制御回路１４が番号を特定した後、処理はステップＳ１０４に進む。
【００４３】
その後、第１の実施の形態と同様の処理を実行する。第２の実施の形態における第１ＩＰ電話アダプタ１は、図３のステップＳ１０８において送信された応答信号に対して、擬似的な呼出音の出力命令を発することなく、第１電話機２と第２電話機４とをＩＰ電話網５を介して通話可能な状態に接続する。
【００４４】
このように、本実施例では、番号識別方法をＩＰ電話網５の発信者番号通知サービスに頼っていない。従って、IP電話アダプタに接続された公衆回線が発信者番号サービスに加入していなくとも公衆回線にダイヤルすることでＩＰ電話同士の通話ができるという効果が得られる。
【００４５】
なお、上述してきた複数の実施の形態は、その構成、動作に矛盾が発生しない場合において、組合せて実施することが可能である。
【図面の簡単な説明】
【００４６】
【図１】図１は、本発明のＩＰ電話装置の構成を例示するブロック図である。
【図２】図２は、第１の実施の形態に動作を示すフローチャートである。
【図３】図３は、第２の実施の形態に動作を示すフローチャートである。
【符号の説明】
【００４７】
１…第１ＩＰ電話アダプタ
２…第１電話機
３…第２ＩＰ電話アダプタ
４…第２電話機
５…ＩＰ電話網
６…公衆回線網
７…第１接続状態
８…第２接続状態
１１…第１制御部
１２…第１番号識別回路
１３…第１回線制御回路
１４…第１ＩＰ電話制御回路
１５…第１中央制御回路
１６…第１電話機制御回路
１７…第１切替え制御回路
３１…第２制御部
３２…第２番号識別回路
３３…第２回線制御回路
３４…第２ＩＰ電話制御回路
３５…第２中央制御回路
３６…第２電話機制御回路
３７…第２切替え制御回路
【図１】
2006211060.tif 000003
【図２】
2006211060.tif 000004
【図３】
2006211060.tif 000005